(57)【要約】【課題】  簡単に扉を前後左右に微調整することができるものでありながら、従来にない簡単な構造で安価に製作することができる新規なピボット調整蝶番を提供すること。【解決手段】  第一部材Ａと、第二部材Ｂとからなり、第一部材Ａは台座１と、該台座１に対して水平なＸ方向に移動調整可能に積層された第一調整プレート２と、該第一調整プレート２に対して前記Ｘ方向とは直角に交わるＹ方向に移動調整可能に積層された第二調整プレート３とから構成され、前記第一調整プレート２は第一のカム４の回動により移動調整可能とされ、前記第二調整プレート３は第二のカム５の回動により調整可能に形成され、第一部材Ａの第二調整プレート３又は第二部材Ｂに垂直なピボット６が設けられ、該ピボット６を回動自在に受け入れる受け孔７ａを備えた筒部材７が第二部材Ｂ又は第一部材Ａの第二調整プレート３に設けられている構造。【選択図】図１
2005120573.tif 000002
【特許請求の範囲】
【請求項１】
固定枠体に取付けられる第一部材と、扉に取付けられる第二部材とからなり、第一部材は台座と、該台座に対して水平なＸ方向に移動調整可能に積層された第一調整プレートと、該第一調整プレートに対して前記Ｘ方向とは直角に交わるＹ方向に移動調整可能に積層された第二調整プレートとから構成され、前記第一調整プレートは第一のカムの回動により移動調整可能とされ、前記第二調整プレートは第二のカムの回動により調整可能に形成され、前記各カムは第一部材の上面から回動操作可能に構成されており、更に前記第一部材の第二調整プレート又は第二部材に垂直なピボットが設けられ、該ピボットを回動自在に受け入れる受け孔を備えた筒部材が第二部材又は第一部材の第二調整プレートに設けられており、更に台座と第一調整プレート並びに第一調整プレートと第二調整プレートとを夫々締緩自在に固定する固定手段を備えているピボット調整蝶番。
【請求項２】
前記ピボットが第一部材の第二調整プレートに設けられ、該ピボットを受け入れる筒部材が第二部材に設けられている請求項１に記載のピボット調整蝶番。
【請求項３】
前記筒部材の受け孔に上部からネジ栓が螺合され、このネジ栓の下面にピボットの先端が当接するように形成され、このネジ栓を回動することにより第一部材と第二部材の相対的な上下間隔を調整できるように構成されている請求項１又は請求項２に記載のピボット調整蝶番。
【請求項４】
前記ピボットが第二調整プレート又は第２部材の取り付け部分に対して上下方向にスライドできるように形成されている請求項１〜３に記載のピボット調整蝶番。
【発明の詳細な説明】
【技術分野】
【０００１】
本発明は、玄関扉や間仕切り扉等のスゥイングドアーに使用されるピボット調整蝶番に関するもので、殊にピボット部分が扉の前方に持ち出されているタイプのピボット調整蝶番に関するものである。
【背景技術】
【０００２】
従来、扉の開度を大きくするために、ピボット部分を扉の前方側に持ち出した状態で取り付けられるピボット蝶番が知られている。この従来のピボット蝶番では扉側若しくは床面、天井面等の固定枠体の何れか一方に垂直なピボットが設けられ、他方にピボットを受ける受け具を設けてこの受け具の受穴にピボットの先端をはめ込むように構成されている。しかし扉を取り付けるに際して扉や固定枠体の歪みや組み付け誤差等によって、ピボットと受穴の相対位置にずれが生じることがあり、その為に扉取付時においてピボット若しくは受穴の位置を調整する必要があった。そこで本出願人は先に特開２００２ー２４２５１４号公報に示すような、扉を取り付けた後に扉を前後左右に調整できるピボット調整蝶番を提案した。このピボット調整蝶番は扉取り付け後に外部から上下左右の調整ができて使用勝手が良いが、しかしながらやや構造が複雑化してコストが高くなるといった難点があった。
【特許文献１】特開２００２−２４２５１４号公報
【発明の開示】
【発明が解決しようとする課題】
【０００３】
そこで本発明は扉を取り付けた後で扉と固定枠体との間で不都合が生じた場合、簡単に扉を前後左右に微調整することができるものでありながら、従来にみられない簡単な構造で安価に製作することができる新規なピボット調整蝶番を提供することを主たる目的とするものである。
【０００４】
更に本発明は、扉の前後左右方向の調整に加え、上下方向にも調整可能なピボット調整蝶番を簡単な構造で安価に提供することを目的とする。
【課題を解決するための手段】
【０００５】
上記目的を達成する為に本発明では次のような技術的手段を講じた。即ち、本発明に係るピボット調整蝶番にあっては、固定枠体Ｃに取付けられる第一部材Ａと、扉Ｄに取付けられる第二部材Ｂとからなり、第一部材Ａは台座１と、該台座１に対して水平なＸ方向に移動調整可能に積層された第一調整プレート２と、該第一調整プレート２に対して前記Ｘ方向とは直角に交わるＹ方向に移動調整可能に積層された第二調整プレート３とから構成され、前記第一調整プレート２は第一のカム４の回動により移動調整可能とされ、前記第二調整プレート３は第二のカム５の回動により調整可能に形成され、前記各カム４、５は第一部材Ａの上面から回動操作可能に構成されており、更に前記第一部材Ａの第二調整プレート３又は第二部材Ｂに垂直なピボット６が設けられ、該ピボット６を回動自在に受け入れる受け孔７ａを備えた筒部材７が第二部材Ｂ又は第一部材Ａの第二調整プレート３に設けられており、更に台座１と第一調整プレート２並びに第一調整プレート２と第二調整プレート３とを夫々締緩自在に固定する固定手段を備えている構造とした。尚、前記Ｘ方向とは取り付けられる扉Ｄの前後方向と一致する方向であり、Ｙ方向とは扉Ｄの左右方向と一致する方向を指す。
【０００６】
前記垂直なピボット６は第一部材Ａの第二調整プレート３に設け、該ピボット６を受け入れる筒部材７を第二部材Ｂに設けるのがこのましい。
【０００７】
また、前記筒部材７の受け孔７ａに上部からネジ栓７ｂを螺合し、このネジ栓７ｂの下面にピボット６の先端が当接するように形成して、このネジ栓７ｂを回動することにより第一部材Ａと第二部材Ｂの相対的な上下間隔、即ち扉Ｄの上下位置を微調整できるように構成するのがよい。
【発明の効果】
【０００８】
本発明では、扉を取り付けた後で扉と固定枠体との間で不都合が生じた場合に、ドライバー等の回動工具で第一のカム並びに第二のカムを回動することにより簡単に扉を前後左右に微調整することができるものでありながら、ピボット並びにこれを受ける筒部材を除いた大部分を占める構成要素が板材によって形成されているから安価に且つ経済的に製作でき、加えて夫々のカムの回動によって取り付けられた扉がＸ方向並びにＹ方向に直線的に移動するものであるから所望する方向に正確に微調整することができる、といった優れた効果がある。
【実施例】
【０００９】
図１〜図３は本発明にかかるピボット調整蝶番の一実施例を示すものであって、このピボット調整蝶番は、固定枠体Ｃに取付けられる第一部材Ａと、扉Ｄに取付けられる第二部材Ｂとから構成される。
【００１０】
前記第一部材Ａは、板状の台座１と、該台座１に対して水平なＸ方向に移動調整可能に積層された第一調整プレート２と、該第一調整プレート２に対して前記Ｘ方向とは直角に交わるＹ方向に移動調整可能に積層された第二調整プレート３とから構成されている。ここでいうＸ方向とは図３に示すように本ピボット調整蝶番によって取り付けられる扉Ｄの前後方向と一致する方向であり、Ｙ方向とは扉Ｄの左右方向と一致する方向を指す。
【００１１】
前記第一調整プレート２にはＸ方向に沿った長溝２ａが設けられ、台座１に回動可能に取り付けられた第一のカム４が前記長溝２ａに係合されていてこの第一のカム４を回動することにより第一調整プレート２が台座１に対してＸ方向に直線的に移動調整できるように形成されている。
【００１２】
又、第二調整プレート３にはＹ方向に沿った長孔３ａが設けられ、第一調整プレート２に回動可能に取り付けられた第二のカム５が前記長孔３ａに係合されていてこの第二のカム５を回動することにより第二調整プレート３が第一調整プレート２に対してＹ方向に直線的に移動調整できるように形成されている。
【００１３】
更に台座１と第一調整プレート２並びに第一調整プレート２と第二調整プレート３とを夫々締緩自在に連結固定する固定手段を備えている。本実施例にあっては、前記固定手段として固定ビス８，９が使用されており、固定ビス８は第二調整プレート２に設けた長穴２ｂを介して台座１のビス孔１ａに螺合され、固定ビス９は第二調整プレート３に設けた長穴３ｃを介して第二調整プレート２に設けたビス孔２ｃに螺合されている。これら両固定ビス８、９並びに前記したカム４、５は第一部材Ａの上面からドライバー等の回動工具で容易に回動操作できるように上面に露出して形成されている。
【００１４】
更に、第二調整プレート３はその一側縁からＸ方向に延設した持ち出し部３ｂが設けられ、この持ち出し部３ｂに垂直なピボット６が設けられている。
【００１５】
一方、前記第二部材Ｂには前記ピボット６を回動自在に受け入れる受け孔７ａを備えた筒部材７が設けられいる。該、筒部材７の受け孔７ａには上部からネジ栓７ｂが螺合され、このネジ栓７ｂの下面にピボット６の先端が当接するように形成して、このネジ栓７ｂをドライバー等の回動工具で回動することにより第一部材Ａと第二部材Ｂの相対的な上下間隔が微調整できるように形成されている。尚、ピボット６の先端にはボール６ａがはめ込まれていてピボット６のスムースな回動を助長している。このボールに替えてピボット６の先端を球面状に形成しても良い。また筒部材７には着脱自在なキャップ７ｃが設けられている。
【００１６】
尚、第一調整プレート２にはこの上面に載置された第二調整プレート３のＹ方向への移動をスムースに行わしめるためのガイド縁２ｄ、２ｄが両側縁部から立ち上げて形成されている。
【００１７】
上記のピボット調整蝶番は、台座１を木ネジ１０で床面等の固定枠体Ｃに固定したあと、この台座１に第一調整プレート２、第二調整プレート３の順に載置して取り付ける。また第二部材Ｂを木ネジ１１で扉Ｄに取り付けた後、筒部材７の受け孔７ａにピボット６を嵌めこんで扉Ｄを取り付ける。扉Ｄの上部の支持は、例えば前記した特開２００２−２４２５１４号公報で示されたような、スプリングでピボットを受け孔に落とし込む形式のものを使用して保持すればよい。また本ピボット調整蝶番を反転させて上部用として使用することも可能である。この場合はピボット６が第二調整プレート３に対して上下方向にスライドできるように若干の修正を加えておき、筒部材７の受け孔７ａに合致した位置でピボット６を受け孔７ａに落とし込むようにすればよい。
【００１８】
扉Ｄを取り付けた後、取り付け位置の微調整が必要な場合は、扉Ｄを開放して第一部材Ａの上面が見えるようにした状態で、所望の固定ビス８、９を緩めて第一のカム４又は第二のカム５をドライバー等の回動工具で回動することにより容易に扉ＤのＸ方向、即ち前後方向又はＹ方向、即ち左右方向の微調整を容易に行うことができる。また、ネジ栓７ｂをドライバー等の回動工具で回動することにより第一部材Ａと第二部材Ｂの相対的な上下間隔、即ち扉Ｄの上下方向に微調整を行うことができる。
【００１９】
上記の如く構成されたピボット調整蝶番は、ピボット６並びにこれを受ける筒部材７を除いた大部分を占める構成要素が板材によって形成されているから安価に且つ経済的に製作でき、夫々のカム４、５の回動によってＸ方向並びにＹ方向に直線的に移動するものであるから所望する方向に正確に微調整することが可能である。
【００２０】
以上本発明の実施例について説明したが、本発明は必ずしもこれらの実施例構造のみに限定されるものでない。例えば上記実施例では、ピボット６を第１部材Ａに設け、これを受ける筒部材７を第二部材Ｂに設けたが、その反対であっても良い。この場合、このピボット調整蝶番を上部用として使用する時は、前記したようにピボット６が上下方向にスライドできるようにしておくことが必要である。その他本発明ではその構成要件を備え、かつ本発明の目的を達成し、上記の効果を奏する範囲内において適宜改変して実施することができるものである。
【図面の簡単な説明】
【００２１】
【図１】本発明に係るピボット調整蝶番の一実施例を示一部分解斜視図。
【図２】上記ピボット調整蝶番の第一部材の分解斜視図。
【図３】上記ピボット調整蝶番の第一部材を固定枠体に取り付けた状態を示す平面図。
【符号の説明】
【００２２】
Ａ  第一部材
Ｂ  第二部材
Ｃ  固定枠体
Ｄ  扉
１  台座
２  第一調整プレート
３  第二調整プレート
４  第一のカム
５  第二のカム
６  ピボット
７  筒部材
７ａ  受け孔
７ｂ  ネジ栓
【図１】
2005120573.tif 000003
【図２】
2005120573.tif 000004
【図３】
2005120573.tif 000005